(57)【要約】【課題】  リモート映像再生システムで、正確な再生停止位置からのレジューム再生機能を実現する。【解決手段】  ＡＶクライアント装置の再生制御部が、受信部を介してＡＶサーバ装置から受信したコンテンツデータをデコードし表示部に表示している際に、該ＡＶクライアント装置の入力部からの再生停止要求を受信し再生を停止する。このとき、該表示部にて表示が完了した部分の再生停止位置を取得し、該再生停止位置を含む再生停止情報を生成し該ＡＶサーバ装置に送信する。ＡＶサーバ装置は、受信した該再生停止情報をレジューム情報として記録する。レジューム再生要求時に、前記ＡＶサーバ装置は、レジューム情報の再生停止位置に以降のコンテンツをＡＶクライアント装置に配信する。【選択図】  図２
2008085934.tif 000002
【特許請求の範囲】
【請求項１】
ネットワークに接続して映像コンテンツを蓄積するコンテンツサーバ装置と前記ネットワークに接続して前記コンテンツサーバ装置に蓄積された映像コンテンツを再生するクライアント装置から成るリモート映像再生システムであって、
前記クライアント装置は、
コンテンツの再生中にユーザの再生中断指示により再生停止位置を生成してコンテンツ特定情報とともに前記コンテンツサーバ装置に再生停止情報として送信し、
ユーザの再生要求に応じて前記コンテンツサーバ装置に前記再生中断したコンテンツのレジューム再生要求をおこない、
前記コンテンツサーバ装置は、
コンテンツごとに少なくともコンテンツの再生停止位置を含むレジューム管理情報を有し、
前記クライアント装置から送信された再生停止情報のコンテンツ特定情報を基に該再生停止情報の再生停止位置を前記レジューム管理情報に記録し、
前記クライアント装置のコンテンツのレジューム再生要求に応じて前記レジューム管理情報の再生停止位置を基に該再生停止位置以降のコンテンツを前記クライアント装置に送信することを特徴とするリモート映像再生システム。
【請求項２】
請求項１に記載のリモート映像再生システムであって、
前記クライアント装置のひとつである第１のクライアント装置は、
コンテンツの再生中にユーザの再生中断指示により、該コンテンツ特定情報と再生停止位置と該第１のクライアント装置を特定するクライアント装置情報とを含む再生停止情報を前記コンテンツサーバ装置に送信し、
前記クライアント装置の他のひとつである第２のクライアント装置は、
ユーザの再生要求に応じて前記コンテンツサーバ装置に前記再生中断したコンテンツのレジューム再生要求をおこない、
前記コンテンツサーバ装置は、
コンテンツごとに少なくともコンテンツの再生停止位置とクライアント装置情報を含むレジューム管理情報を有し、
前記第１のクライアント装置から送信された再生停止情報のコンテンツ特定情報を基に該再生停止情報の再生停止位置とクライアント装置情報を前記レジューム管理情報に記録し、
前記第２のクライアント装置のレジューム再生要求に応じて前記レジューム管理情報のコンテンツ特定情報とクライアント装置情報に対応する再生停止位置を基に該再生停止位置以降のコンテンツを前記第２のクライアント装置に送信することを特徴とするリモート映像再生システム。
【請求項３】
請求項１に記載のリモート映像再生システムであって、
前記クライアント装置のひとつである第１のクライアント装置は、
コンテンツの再生中にユーザの再生中断指示により、該コンテンツ特定情報と再生停止位置とユーザ情報を含む再生停止情報を前記コンテンツサーバ装置に送信し、
前記クライアント装置の他のひとつである第２のクライアント装置は、
ユーザの再生要求に応じて前記コンテンツサーバ装置に前記再生中断したコンテンツのレジューム再生要求をおこない、
前記コンテンツサーバ装置は、
コンテンツごとに少なくともコンテンツの再生停止位置とユーザ情報を含むレジューム管理情報を有し、
前記第１のクライアント装置から送信された再生停止情報のコンテンツ特定情報を基に該再生停止情報の再生停止位置とユーザ情報を前記レジューム管理情報に記録し、
前記第２のクライアント装置のレジューム再生要求に応じて前記レジューム管理情報のコンテンツ特定情報とユーザ情報に対応する再生停止位置を基に該再生停止位置以降のコンテンツを前記第２のクライアント装置に送信することを特徴とするリモート映像再生システム。
【請求項４】
ネットワークに接続して映像コンテンツを蓄積するコンテンツサーバ装置と前記ネットワークに接続して前記コンテンツサーバ装置に蓄積された映像コンテンツを再生するクライアント装置から成るリモート映像再生システムのコンテンツサーバ装置であって、
映像コンテンツを蓄積するコンテンツ格納部と、
前記コンテンツ格納部に蓄積されたコンテンツを前記クライアント装置に送信するコンテンツデータ送信制御部と、
コンテンツごとに少なくともコンテンツの再生停止位置を含むレジューム管理情報レジューム管理情報を記憶する記憶部と、
ユーザの再生中断指示により前記クライアント装置から送信されるコンテンツの再生停止位置を含む再生停止情報を受信し、前記再生停止情報の再生停止位置を前記レジューム管理情報に記録するレジューム情報保存部と、を備え、
前記クライアント装置のコンテンツのレジューム再生要求により、前記コンテンツデータ送信制御部は、前記レジューム管理情報の再生停止位置を基に該再生停止位置以降のコンテンツを前記コンテンツ格納部から読み出してクライアント装置に送信することを特徴とするコンテンツサーバ装置。
【請求項５】
請求項４に記載のリモート映像再生システムのコンテンツサーバ装置であって、
前記記録部には、コンテンツごとに少なくともコンテンツの再生停止位置とクライアント装置情報を含むレジューム管理情報を記憶し、
前記レジューム情報保存部は、ユーザの再生中断指示により受信した再生停止情報の再生停止位置とクライアント装置情報を前記レジューム管理情報に記録し、
前記クライアント装置のコンテンツのレジューム再生要求により、前記コンテンツデータ送信制御部は、コンテンツ特定情報とクライアント装置情報が一致した前記レジューム管理情報の再生停止位置を基に該再生停止位置以降のコンテンツを前記コンテンツ格納部から読み出してクライアント装置に送信することを特徴とするコンテンツサーバ装置。
【請求項６】
請求項４に記載のリモート映像再生システムのコンテンツサーバ装置であって、
前記記録部には、コンテンツごとに少なくともコンテンツの再生停止位置とユーザ情報を含むレジューム管理情報を記憶し、
前記レジューム情報保存部は、ユーザの再生中断指示により受信した再生停止情報の再生停止位置とユーザ情報を前記レジューム管理情報に記録し、
前記クライアント装置のコンテンツのレジューム再生要求により、前記コンテンツデータ送信制御部は、コンテンツ特定情報とユーザ情報が一致した前記レジューム管理情報の再生停止位置を基に該再生停止位置以降のコンテンツを前記コンテンツ格納部から読み出してクライアント装置に送信することを特徴とするコンテンツサーバ装置。
【請求項７】
ネットワークに接続して映像コンテンツを蓄積するコンテンツサーバ装置と前記ネットワークに接続して前記コンテンツサーバ装置に蓄積された映像コンテンツを再生するクライアント装置から成るリモート映像再生システムのクライアント装置であって、
前記コンテンツサーバ装置から配信された映像コンテンツを視聴可能に変換するデコード部と、
コンテンツ再生中のユーザの再生中断指示により前記デコード部からコンテンツの再生停止位置を取得する再生停止位置取得部と、
前記再生停止位置を前記コンテンツサーバ装置に通知する再生停止情報送信部とを備え、
ユーザがコンテンツのレジューム再生を要求したとき、前記デコード部は、前記コンテンツサーバ装置から受信した前記再生停止位置以降のコンテンツを視聴可能に変換することを特徴とするクライアント装置。
【請求項８】
請求項７に記載のリモート映像再生システムのクライアント装置であって、
前記再生停止情報送信部は、前記再生停止位置とコンテンツ特定情報を前記コンテンツサーバ装置に通知するとともに、クライアント装置情報とユーザ情報のいずれかを前記コンテンツサーバ装置に通知することを特徴とするクライアント装置。
【請求項９】
ネットワークに接続して映像コンテンツを蓄積するコンテンツサーバ装置と前記ネットワークに接続して前記コンテンツサーバ装置に蓄積された映像コンテンツを再生するクライアント装置から成るリモート映像再生システムのレジューム再生方法であって、
コンテンツの再生中にユーザの再生中断指示により再生停止位置を生成してコンテンツ特定情報とともに前記コンテンツサーバ装置に再生停止情報として送信するステップと、
コンテンツごとに少なくともコンテンツの再生停止位置を含むレジューム管理情報を有し、コンテンツサーバ装置に送信された再生停止情報のコンテンツ特定情報を基に該再生停止情報の再生停止位置を前記レジューム管理情報に記録するステップと、
ユーザの再生要求に応じて前記コンテンツサーバ装置に前記再生中断したコンテンツのレジューム再生要求をおこなうステップと、
前記クライアント装置のコンテンツのレジューム再生要求に応じて前記レジューム管理情報の再生停止位置を基に該再生停止位置以降のコンテンツを前記コンテンツサーバ装置からクライアント装置に送信するステップとを含むことを特徴とするリモート映像再生システムのレジューム再生方法。
【発明の詳細な説明】
【技術分野】
【０００１】
本発明は、ネットワークを介してコンテンツを蓄積したサーバ装置からクライアント装置に配信するリモート映像再生システムに係り、特に、映像配信の中断再開をおこなう技術に関するものである。
【背景技術】
【０００２】
デジタルコンテンツの普及により、ホームネットワークに接続されたＨＤＤレコーダ等のサーバ装置に動画コンテンツ等を蓄積し、前記ホームネットワークに接続するＴＶやＰＣ等のクライアント装置で前記コンテンツを再生するリモート映像再生システムの提案がおこなわれている。
【０００３】
従来のスタンドアロンのコンテンツ再生装置では、視聴者がコンテンツの視聴中に任意の時点で視聴中断し、あとで視聴中断した位置から視聴再開（レジューム再生）する機能が一般的になっている。このため、リモート映像再生システムでも同様に機能の提供が求められている。
【０００４】
例えば、特許文献１には、コンテンツを送信するサーバ装置側が、送信を完了したデータ位置を基にして、あらかじめ決められた一定間隔だけ戻した位置を、レジューム再生に利用するための再生停止位置として記録する技術が開示されている。
【０００５】
【特許文献１】特開２００５−３２３０６８号公報
【発明の開示】
【発明が解決しようとする課題】
【０００６】
しかし、特許文献１のレジューム再生技術では、再生を行うクライアント装置側の機器ごとのデコード用バッファ容量や、ネットワーク送信における通信遅延等の違いを十分考慮しておらず、必ずしもサーバ装置側で記録した再生停止位置と、クライアント装置側の再生停止操作を行った位置が一致せず、次回のレジューム再生時の再生位置が不正確となる可能性があった。
【０００７】
本発明は、レジューム再生位置の精度向上を図るとともに、より使い勝手のよいリモート映像再生システムおよび再生方法を提供することを目的とする。
【課題を解決するための手段】
【０００８】
ネットワークに接続して映像コンテンツを蓄積するコンテンツサーバ装置と前記ネットワークに接続して前記コンテンツサーバ装置に蓄積された映像コンテンツを再生するクライアント装置から成る本発明のリモート映像再生システムは、コンテンツの再生中にユーザの再生中断指示により再生停止位置を生成してコンテンツ特定情報とともに前記コンテンツサーバ装置に再生停止情報として送信し、ユーザの再生要求に応じて前記コンテンツサーバ装置に前記再生中断したコンテンツのレジューム再生要求をおこなうクライアント装置と、コンテンツごとに少なくともコンテンツの再生停止位置を含むレジューム管理情報を有し、前記クライアント装置から送信された再生停止情報のコンテンツ特定情報を基に該再生停止情報の再生停止位置を前記レジューム管理情報に記録し、前記クライアント装置のコンテンツのレジューム再生要求に応じて前記レジューム管理情報の再生停止位置を基に該再生停止位置以降のコンテンツを前記クライアント装置に送信するコンテンツサーバ装置から構成するようにした。
【発明の効果】
【０００９】
本発明によれば、ネットワークを介したレジューム再生においても正確な再生位置から視聴再開できるので、使い勝手のよいリモート映像再生システムを提供することができる。
【発明を実施するための最良の形態】
【００１０】
以下、本発明の実施形態について図面を参照して説明する。
図１から図７により、ＡＶクライアント装置とＡＶサーバ装置から成るホームネットワークシステムにおいて、ユーザの操作によるコンテンツの再生停止した時の実施例を説明する。また、図８から図９により、ＡＶクライアント装置で、コンテンツのレジューム再生を実行する実施例を説明する。
【実施例１】
【００１１】
図１は、第１の実施例におけるネットワークのシステム構成例を示す図である。
図１において、１及び２はＡＶクライアント装置、３はＡＶサーバ装置、４及び５はＡＶクライアント装置１及びＡＶクライアント装置２を操作する視聴ユーザを示している。
【００１２】
ＡＶクライアント装置１は、ＴＶやＰＣ等のユーザ操作とコンテンツの再生表示をおこなう端末である。ＡＶクライアント装置１は、ユーザ４のコンテンツの選択や再生するコンテンツの決定、コンテンツの再生等の操作指示に応じて、ＡＶサーバ装置３に蓄積されたコンテンツのコンテンツ情報を取得し画面に表示したり、選択されたコンテンツの再生、停止、早送り、巻き戻し等の再生制御を行ったりする。ホームネットワークには、ＡＶクライアント装置１と同様の機能をもつＡＶクライアント装置２を接続してもよい。
【００１３】
ＡＶサーバ装置３は、ＡＶクライアント装置１あるいはＡＶクライアント装置２の要求に応じて、蓄積されたコンテンツのコンテンツ情報を送信したり、コンテンツデータの送信を行ったりする。
【００１４】
ここで、ホームネットワークを形成する情報伝送網は、例えば、有線ＬＡＮ、無線ＬＡＮ、ＵＷＢ（Ultra Wide Band）、Ｂｌｕｅｔｏｏｔｈ、ＩＥＥＥ１３９４、電力線等で構成されるネットワークや、これらの組み合わせ、またはこれらと放送の組み合わせなどである。情報伝送網に接続された装置間では、ある所定の手順に従って情報を転送することが可能である。
【００１５】
さらに、ホームネットワーク上に存在するＡＶクライアント装置、及び、ＡＶサーバ装置の数は、特に限定しない。
【００１６】
詳細は後述するが、ユーザ４によるコンテンツの再生停止指示により、ＡＶクライアント装置１で、コンテンツＩＤや再生停止位置やクライアント装置情報やユーザ情報から成る再生停止情報が生成され、ＡＶサーバ装置３に送信される。ＡＶサーバ装置３では、この再生停止情報をレジューム情報として記録する。
【００１７】
ユーザ４によるコンテンツのレジューム再生指示があると、ＡＶクライアント装置１は、ＡＶサーバ装置３にレジューム再生要求をおこなう。レジューム再生要求を受けたＡＶサーバ装置３は、レジューム情報を参照して、再生停止位置以降のコンテンツデータを、ＡＶクライアント装置１に送信する。これにより、ＡＶクライアント装置１で前回の再生停止位置からコンテンツのレジューム再生を行うことができる。
【００１８】
以降、本実施例をより詳細に説明するが、ユーザ４がＡＶクライアント装置１を操作する場合について説明する。ただし、ＡＶクライアント装置１とＡＶクライアント装置２は区別されるものではなく、同様に、ユーザ４とユーザ５も区別されるものではない。
【００１９】
図２は、ＡＶクライアント装置１のブロック構成例を示す図である。
入力部１０３は、ユーザ４がＡＶクライアント装置１に接続された入力装置を介して入力した、再生コンテンツの選択や、コンテンツの再生、停止、早送り、巻き戻し等の再生制御要求の入力を受け付ける。これらの操作は、例えば、リモートコントローラ等の入力装置上のボタンの押下等で入力される。
【００２０】
再生制御部１０４は、入力部１０３からユーザ操作情報に応じて、当該ＡＶクライアント装置１の機能を制御する。入力部１０３がユーザ４のコンテンツの選択を受け付けたときには、コンテンツ情報要求送信部１０８に対してコンテンツ情報の取得要求を送信する。また、入力部１０３がユーザ４のコンテンツの再生制御要求を受け付けたときに、再生制御要求部１１１に対して再生制御要求を送信する。
【００２１】
コンテンツ情報要求送信部１０８は、再生制御部１０４からの要求により、ＡＶサーバ装置３に蓄積されたコンテンツのタイトル名、ジャンル、フォーマット等を含むコンテンツ情報の取得要求を、送信部１０２を介してＡＶサーバ装置３に送信する。
【００２２】
コンテンツ再生制御要求部１１１は、再生制御部１０４からの要求により、再生、停止、早送り、巻き戻し等の再生制御情報を、送信部１０１を介してＡＶサーバ装置３に送信する。
【００２３】
送信部１０１は、コンテンツ情報要求送信部１０８や再生制御要求部１１１の要求をネットワークに出力してＡＶサーバ装置３に送信する。受信部１０２は、ＡＶサーバ装置３から送信されたコンテンツ情報、及び、コンテンツデータを、ネットワークを介して受信し、データバッファ部１０５に格納する。
【００２４】
受信データデコード部１０６は、データバッファ部１０５に格納されたコンテンツ情報を、ユーザ４がコンテンツを選択可能な形式に変換して、画面表示部１０７に渡す。また、データバッファ部１０５に格納されたコンテンツデータを、ユーザ４がコンテンツ視聴可能な形式に変換して、画面表示部１０７に渡す。ここで、コンテンツデータは例えばＭＰＥＧ２形式で圧縮されたデータであり、受信データデコード部１０６で復号化される。
【００２５】
画面表示部１０７は、ＡＶクライアント装置１の出力部であって、受信データデコード部１０６が変換したデータを画面上に表示する。
【００２６】
再生停止位置取得部１０９は、再生制御部１０４からの再生停止要求により、受信データデコード部１０６が画面表示部１０７に表示したフレームの再生位置を、再生停止位置として取得する。
【００２７】
再生停止情報送信部１１０は、再生制御部１０４が取得した再生停止位置とＡＶクライアント装置１のクライアント装置情報から再生停止情報を生成して、送信部１０１を介してＡＶサーバ装置３に送信する。
【００２８】
次に、図３によりＡＶサーバ装置３の構成について説明する。
【００２９】
受信部３０２は、ＡＶクライアント装置１から送信されたコンテンツ情報要求、及び、コンテンツデータ要求を、ネットワークを介して受信し、受信要求判断部３０３に通知する。
【００３０】
受信要求判断部３０３は、受信部３０２で受信したデータがコンテンツ再生制御要求である場合、コンテンツデータ送信制御部３１１に前記受信データを送信する。これを受信したコンテンツデータ送信制御部３１１は、ＡＶクライアント装置１から受信したコンテンツ再生制御情報に応じて、コンテンツ格納部３０６からコンテンツデータを読み込む。ここで、ＨＤＤ等の記憶装置から成るコンテンツ格納部３０６には、例えば、ＭＰＥＧ−２形式や、ＭＰＥＧ−４形式等のＡＶフォーマットで作成されたコンテンツデータが格納されている。読み込まれたコンテンツデータは、送信部３０１から出力され、ネットワークを介して、ＡＶクライアント装置１に送信する。
【００３１】
また、受信要求判断部３０３は、受信部３０２で受信したデータがコンテンツ情報要求である場合、コンテンツ情報送信データ作成部３０８に前記受信データを送信する。コンテンツ情報送信データ作成部３０８は、記録部３０４のコンテンツ情報管理テーブル３０５を参照して、ＡＶサーバ装置３に蓄積されているコンテンツのコンテンツ情報を取得し、送信部３０１に通知する。送信部３０１は、ネットワークを介して、ＡＶクライアント装置１にこのコンテンツ情報を送信する。
【００３２】
ここで、コンテンツ情報管理テーブル３０５は、コンテンツ格納部３０６に格納されているコンテンツごとに、コンテンツのタイトル名、ジャンル、フォーマット等を含むコンテンツに付随するコンテンツ情報を管理されている。
【００３３】
また、受信要求判断部３０３は、受信部３０２で受信したデータが再生停止情報である場合、レジューム情報保存部３０９に前記受信データを送信する。レジューム情報保存部３０９は、ＡＶクライアント装置１から受信した再生停止情報を、レジューム情報として、一定のフォーマットに従い記憶部３０４のレジューム情報管理テーブル３０７に保存する。
【００３４】
また、受信要求判断部３０３は、受信部３０２で受信したデータがレジューム情報取得要求である場合、レジューム情報取得部３１０に前記受信データを送信する。レジューム情報取得部３１０は、レジューム情報管理テーブル３０７の中から、指定されたコンテンツに対応するレジューム情報を検索し取得する。このレジューム情報管理テーブル３０７の詳細は、図７に示している。送信部３０１は、レジューム情報取得部３１０が取得したレジューム情報を、ネットワークを介してＡＶクライアント装置１に送信する。
【００３５】
また、受信要求判断部３０３は、受信部３０２で受信したデータがレジューム再生要求である場合、コンテンツデータ制御部３１１に受信したレジューム情報を通知する。コンテンツデータ制御部３１１は、指定されたコンテンツのレジューム情報を、レジューム情報取得部３１０を介して取得し、再生停止位置に従ってコンテンツ格納部３０６からコンテンツデータを読み込む。読み込んだデータは、送信部３０１を介してＡＶクライアント装置１に送信する。
【００３６】
次に、ＡＶクライアント装置１で再生停止した際に、ＡＶクライアント装置１とＡＶサーバ装置３との間でおこなわれる、ＡＶクライアント装置１が送信した再生停止情報をＡＶサーバ装置３がレジューム情報として記録する処理手順を、図４により説明する。
【００３７】
ここで、図４のシーケンスは、ユーザ４による再生コンテンツ決定の指示が、入力部１０３に入力された後、コンテンツを特定する情報とコンテンツの再生要求が、ＡＶサーバ装置３に送信された状態から開始することとする。このとき、コンテンツの再生要求が送信されると同時に、再生制御部１０４が受信データデコード部１０６に対して、受信データのデコード開始指示と、デコードされたコンテンツの画面表示部１０７への表示指示を行う。図４では、ＡＶサーバ装置３にレジューム情報が記録されていない場合について説明する。ＡＶサーバ装置３にレジューム情報が記録されている場合のコンテンツの再生に関しては、後述する。
【００３８】
ＡＶサーバ装置３のコンテンツデータ送信制御部３１１は、指定されたコンテンツのデータをコンテンツ格納部３０６から読み込み、ＡＶクライアント装置１に送信する（Ｓ４０１）。
【００３９】
つぎに、ＡＶクライアント装置１では、受信したコンテンツデータをデータバッファ部１０５に格納する。受信データデコード部１０６は、データバッファ部１０５に蓄積されたデータの一部分、もしくは全てを読み込み、デコードを開始する。デコード済みのデータが画面表示部１０７に表示されることで、コンテンツの再生が行われる（Ｓ４０２）。
【００４０】
ユーザ４が、リモートコントローラ等の入力装置を介してコンテンツの再生停止の操作を行うと、コンテンツの再生停止の指示が入力部１０３に入力される（Ｓ４０３）。
【００４１】
ＡＶクライアント装置１の再生制御部１０４が入力部１０３からの再生停止指示を受信し、コンテンツの再生停止の処理を実行する。また、ＡＶクライアント装置１が、再生停止要求をＡＶサーバ装置３に送信する（Ｓ４０４）。
【００４２】
つぎに、受信要求判断部３０３が、ＡＶクライアント装置１から送信された再生停止要求を、受信部３０２を介して受信する。受信したデータが再生停止要求であるため、前記受信データはコンテンツデータ送信制御部３１１に送信され、コンテンツデータ送信制御部３１１が、ＡＶクライアント装置１へのコンテンツデータの送信を終了する（Ｓ４０５）。
【００４３】
ＡＶクライアント装置１は、再生停止したコンテンツの再生停止位置を取得し、前記再生停止位置を含む再生停止情報を生成し、前記再生停止情報を、送信部１０１を介してＡＶサーバ装置３に送信する（Ｓ４０６）。
【００４４】
ＡＶサーバ装置３は、ＡＶクライアント装置１からの再生停止情報を受信し、前記再生停止情報をレジューム情報管理テーブル３０７に記録する（Ｓ４０７）。
【００４５】
以上説明した処理の流れによれば、ＡＶクライアント装置１が送信した再生停止情報を、ＡＶサーバ装置３がレジューム情報として記録することができる。
【００４６】
次に、図４のＳ４０３、Ｓ４０４、Ｓ４０６の部分の処理に対応し、ＡＶクライアント装置１が再生停止情報をＡＶサーバ装置３に送信までの処理の詳細を図５に示す。
【００４７】
ユーザ４によるコンテンツの再生停止の指示が、入力部１０３に入力される（Ｓ５０１）。
【００４８】
再生制御部１０４がこの再生停止指示を受信し、その後、受信データデコード部１０６にデコードの終了を指示する。これにより、受信データデコード部１０６は、データバッファ部１０５からのデータの読み込みを終了する（Ｓ５０２）。
【００４９】
再生制御部１０４が画面表示部１０７に表示終了を指示すると、画面表示部１０７がコンテンツの表示を終了する（Ｓ５０３）。
【００５０】
このとき、再生停止位置取得部１０９が、画面表示部１０７に最後に表示されたデータの位置を、再生停止位置として取得する（Ｓ５０４）。
【００５１】
取得した再生停止位置は、例えばコンテンツデータがＭＰＥＧ形式であれば、デコードの際に、コンテンツデータ内の特定のビットに格納されている時間情報を示すＰＴＳ（Presentation Time Stamp）を、コンテンツの再生時に逐次更新しながら記録しておく。Ｓ５０２で記録処理を停止した時に、Ｓ５０４で、再生停止位置取得部１０９は、最後に記録されているＰＴＳを再生停止位置とする。  また、例えば、受信部１０２で受信したデータの合計サイズを逐次加算して記録しておき、Ｓ５０２にて前記の記録処理を停止する際に、データバッファ部１０５に残ったデータサイズと前記合計サイズとの差分の値であってもよい。
【００５２】
また、例えば、Ｓ５０２にてデータバッファ部１０５に蓄積されているコンテンツデータから取得できる最小のＰＴＳであってもよい。
【００５３】
ただし、いずれの方法であっても、ここで取得する再生停止位置は、レジューム情報管理テーブル３０７に記録する再生停止位置と同様の形式でなければならない。
【００５４】
Ｓ５０５にて、再生制御部１０４がＳ５０４にて取得した再生停止位置を再生停止情報送信部１１０に送信する。再生停止情報送信部１１０は、コンテンツＩＤ、コンテンツ名、コンテンツＵＲＬ等の、再生を停止したコンテンツを特定するための情報と前記の再生停止位置をあわせて再生停止情報を生成し、送信部１０１を介してＡＶサーバ装置３に送信する。以降の説明では、再生を停止したコンテンツを特定するための情報としてコンテンツＩＤを利用する場合について説明する。
【００５５】
以上説明した処理の流れによれば、ＡＶクライアント装置１がコンテンツの再生停止位置を取得し、再生停止情報を生成し、ＡＶサーバ装置３に送信することができる。また、Ｓ５０２、Ｓ５０３にて、コンテンツデータのデコードと画面への表示を終了した時に、ＡＶクライアント装置１が再生停止情報を取得するため、ユーザ４が画面表示部１０７で再生の停止を確認した正確な位置を、ＡＶクライアント装置１が再生停止位置として取得することができる。
【００５６】
次に、図４のＳ４０７の部分の処理に対応し、ＡＶサーバ装置３がＡＶクライアント装置１が送信した再生停止情報を、ＡＶサーバ装置３がレジューム情報として記録する処理を図６により説明する。
【００５７】
受信要求判断部３０３が、ＡＶクライアント装置１から送信された再生停止情報を、受信部３０２を介して受信し、前記受信データをレジューム情報保存部３０９に送信する（Ｓ６０１）。
【００５８】
レジューム情報保存部３０９は、受信した再生停止情報に含まれているコンテンツＩＤを利用して、つぎに詳細に説明するレジューム情報管理テーブル３０７の中から、指定されたコンテンツのレジューム情報を検索する。この結果、該当するコンテンツのレジューム情報が存在する場合はＳ６０３に、存在しない場合はＳ６０５に処理が移る（Ｓ６０２）。
【００５９】
ここで、レジューム情報管理テーブル３０７の詳細を図７により説明する。テーブルは、再生を停止したコンテンツを特定するためのコンテンツ情報（３０７１）と、ＡＶクライアント装置１から送信される再生停止位置（３０７２）と、再生停止位置の送信元を特定するためのクライアント装置情報（３０７３）と、再生停止操作を実行したユーザを特定するためのユーザ情報（３０７４）から構成する。
【００６０】
より具体的には、３０７１は、例えば、コンテンツＩＤ、コンテンツ名、コンテンツＵＲＬ等の再生を停止したコンテンツを特定し得る情報であれば、どのような形式でも良い。また、３０７２は、例えば、Ｂｙｔｅ単位、秒単位等の、再生停止位置を特定し得る情報であれば、どのような形式でも良い。また、３０７３は、例えば、ＡＶクライアント装置１のＵＤＮ、ＩＰアドレス、ドメイン名等の、クライアント装置を特定し得る情報であれば、どのような形式でも良い。また、３０７４は、例えば、事前に設定されたユーザ名、指紋情報等の個人から抽出した情報等の、ユーザを特定し得る情報であれば、どのような形式でも良い。ただし、上記３０７１〜３０７４の情報は、Ｓ５０５にて、再生停止情報送信部１１０から送信される再生停止情報と同様の形式でなければならない。
【００６１】
図６のフロー図の説明に戻り、受信した再生停止情報にクライアント装置情報、及び、ユーザ情報が含まれている場合、受信した再生停止情報に含まれているクライアント装置情報とレジューム情報管理テーブル３０７のクライアント装置情報３０７３が一致するレジューム情報を検索する（Ｓ６０３）。また、受信した再生停止情報に含まれているユーザ情報とレジューム情報管理テーブル３０７のユーザ情報３０７４が一致するレジューム情報を検索する。ただし、受信した再生停止情報にクライアント装置情報、及び、ユーザ情報が含まれていない場合、Ｓ６０４に処理が移る。
【００６２】
Ｓ６０２及び、Ｓ６０３において同一コンテンツのレジューム情報が既に存在する場合、該当するレジューム情報の再生停止位置３０７２を、受信した再生停止情報に含まれている再生停止位置で上書きする（Ｓ６０４）。
【００６３】
Ｓ６０２及び、Ｓ６０３で同一コンテンツのレジューム情報が存在していない場合は、受信した再生停止情報を、レジューム情報管理テーブル３０７にレジューム情報として新規に追加する（Ｓ６０５）。
【００６４】
以上説明した処理の流れによれば、ＡＶクライアント装置１から送信された再生停止情報を、レジューム情報管理テーブル３０７にレジューム情報として追加する、及び、既に存在するレジューム情報を更新することができる。
【００６５】
以上説明した実施例によれば、ユーザの操作によるコンテンツの再生停止時に、ＡＶクライアント装置が、再生停止位置を取得し、生成した再生停止情報をＡＶサーバ装置に送信し、ＡＶサーバ装置は、再生停止情報をレジューム情報として記録することができる。
【００６６】
次に、図８〜９によりＡＶサーバ装置のレジューム情報管理テーブルに記録したレジューム情報を利用して、ＡＶクライアント装置でコンテンツのレジューム再生を実行する例を説明する。図８は、ＡＶサーバ装置３に記録されているレジューム情報を、ＡＶクライアント装置１がレジューム再生に利用する場合の処理の流れを示している。
【００６７】
ユーザ４が、リモートコントローラ等の入力装置を介して再生するコンテンツの選択の操作を行うと、コンテンツの選択の指示が入力部１０３を介して再生制御部１０４に送信される。再生制御部１０４に渡された指示がコンテンツ選択であるため、処理がコンテンツ情報要求送信部１０８に渡される。コンテンツ情報要求送信部１０８は、ユーザ４によって選択された範囲のコンテンツ情報送信要求を、送信部１０１を介してＡＶサーバ装置３に送信する（Ｓ８０１）。
【００６８】
ＡＶサーバ装置３の受信要求判断部３０３が、ＡＶクライアント装置１から受信したコンテンツ情報送信要求を、受信部３０２を介して受信する。受信したデータがコンテンツ情報送信要求であるため、処理がコンテンツ情報送信データ作成部３０８に送信される。コンテンツ情報送信データ作成部３０８は、ＡＶクライアント装置１が要求した範囲のコンテンツ情報を、コンテンツ情報管理テーブル３０５から読み込み、ある一定の形式に整形し、送信部３０１を介してＡＶクライアント装置１に送信する（Ｓ８０２）。ここで、一定の形式とは、ＨＴＭＬやＸＭＬ等の文書フォーマットであり、ＡＶクライアント装置１とＡＶサーバ装置３があらかじめ共通の理解を有している形式を示す。
【００６９】
ＡＶサーバ装置３から送信されたコンテンツ情報を、受信部１０２を介して受信し、データバッファ部１０５に格納する。受信データデコード部１０６は、データバッファ部１０５が受信したコンテンツ情報を、ユーザがコンテンツを選択可能な形式に整形して、画面表示部１０７に表示する（Ｓ８０３）。
【００７０】
ユーザ４が、画面表示部１０７で表示されているコンテンツの中から、再生したいコンテンツをリモートコントローラ等の入力装置を介して選択し決定する。ただし、ユーザ４が別のコンテンツを選択する場合、Ｓ８０１からＳ８０３までの処理を繰り返し実行することで、再生したいコンテンツを決定する。ユーザ４が再生するコンテンツを決定すると、コンテンツＩＤがＡＶサーバ装置３に送信される（Ｓ８０４）。
【００７１】
ＡＶサーバ装置３のコンテンツデータ送信制御部３１１は、ＡＶクライアント装置１にコンテンツデータを送信する前に、レジューム情報取得部３１０に対して、レジューム情報の検索を要求する。レジューム情報取得部３１０は、再生するコンテンツのコンテンツＩＤを利用して、レジューム情報の検索を実行し、レジューム情報が存在していればＡＶクライアント装置１にレジューム情報が存在していることを通知する（Ｓ８０５）。
【００７２】
ＡＶクライアント装置１が、ＡＶサーバ装置３からレジューム情報が存在していることを通知された場合、画面表示部１０７を介してユーザ４に通知する。前記の通知方法としては、例えば、ＡＶクライアント装置１の画面表示部１０７にポップアップ等を表示させて、再生を決定したコンテンツに対して、レジューム再生を行うか、また、どのレジューム情報を利用して再生するかを、ユーザ４が選択できるようにする（Ｓ８０６）。ユーザ４は、レジューム情報を利用して前回停止位置からのコンテンツの再生を行うか、先頭からのコンテンツ再生を行うかを選択し決定することができる。
【００７３】
ＡＶクライアント装置１から、再生するコンテンツとレジューム情報を利用して再生を行うかがＡＶサーバ装置３に通知されると、ＡＶサーバ装置３のコンテンツデータ送信制御部３１１は、コンテンツ格納部３０６からコンテンツの先頭ありいはレジューム位置からのコンテンツデータを読み込み、ＡＶクライアント装置１に対してコンテンツデータを、送信部３０１を介して送信する（Ｓ８０７）。
【００７４】
ＡＶクライアント装置１は、受信したコンテンツデータをデータバッファ部１０５に格納する。受信データデコード部１０６は、データバッファ部１０５に蓄積されたデータの一部分、もしくは全てを読み込み、デコードを開始する。デコード済みのデータが画面表示部１０７に表示されることで、コンテンツの再生が行われる（Ｓ８０８）。
【００７５】
以上説明した処理の流れによれば、ＡＶサーバ装置３にレジューム情報が存在する場合、ＡＶクライアント装置１で決定されたコンテンツに対し、ＡＶサーバ装置３がレジューム情報を検索し、前回停止位置からのコンテンツのレジューム再生を行うことができる。
【００７６】
ここで、ＡＶクライアント装置１がレジューム情報を利用する処理の流れは、本実施例の限りではない。例えば、Ｓ８０５にて、ＡＶサーバ装置３がレジューム情報を検索し、該当するレジューム情報が１つのみ存在する場合が考えられる。この場合は、Ｓ８０６の処理を行わず、Ｓ８０７にて、直ちにレジューム情報を反映したコンテンツデータを送信することもできる。また、例えば、Ｓ８０２にて、そのコンテンツがレジューム再生を実行することができるかどうかを、ユーザ４が視覚的に確認し選択できるように、ＡＶサーバ装置３が、レジューム情報管理テーブル３０７を参照して、ＡＶクライアント装置１に送信するためのコンテンツ情報を作成する場合も考えられる。この場合、例えば、タイトル名の後に、“（レジューム）”等の形式で、レジューム再生を行うコンテンツであることを表示させれば、Ｓ８０４にて、ユーザ４は、レジューム再生を行えるコンテンツを、明示的に決定することができる。この場合、Ｓ８０５、Ｓ８０６の処理は不要となる。
【００７７】
次に、図８のＳ８０５の処理に対応し、レジューム情報に従いコンテンツデータを送信するＡＶサーバ装置３の処理の詳細を図９により説明する。
【００７８】
ＡＶサーバ装置３の受信要求判断部３０３は、再生するコンテンツのコンテンツＩＤとコンテンツ再生要求を、受信部３０２を介して受信する。受信したデータがコンテンツ再生要求であるため、前記受信データはコンテンツデータ送信制御部３１１に送信される。コンテンツデータ送信制御部３１１は、レジューム情報取得部３１０にレジューム情報の取得処理を要求する（Ｓ９０１）。
【００７９】
ＡＶサーバ装置３のレジューム情報取得部３１０は、レジューム情報管理テーブル３０７からレジューム情報を検索する。具体的には、ＡＶクライアント装置１が再生を決定したコンテンツＩＤと、レジューム情報管理テーブル３０７内のコンテンツＩＤ３０７１が一致するレジューム情報を全て抽出する。この結果、コンテンツのレジューム情報が存在する場合はＳ９０３に、存在しない場合はＳ９０５に処理が移る（Ｓ９０２）。
【００８０】
さらにレジューム情報取得部３１０は、Ｓ９０２の検索結果からレジューム情報を検索する。具体的には、受信したコンテンツ情報にクライアント装置情報、及び、ユーザ情報が含まれている場合、レジューム情報管理テーブル３０７内のクライアント装置情報３０７３、及び、ユーザ情報３０７４と一致するレジューム情報を全て抽出する。ただし、受信したコンテンツ情報にクライアント装置情報、及び、ユーザ情報が含まれていない場合、Ｓ９０４に処理が移る（Ｓ９０３）。
【００８１】
Ｓ９０２、及び、Ｓ９０３で同一コンテンツのレジューム情報が既に存在する場合、コンテンツデータ送信制御部３１１は、ＡＶクライアント装置１が決定したコンテンツのデータを、レジューム情報を参照してコンテンツ格納部３０６から読み込み、ＡＶクライアント装置１にデータを送信する（Ｓ９０４）。
【００８２】
Ｓ９０２及び、Ｓ９０３で同一コンテンツのレジューム情報が存在しない場合、コンテンツデータ送信制御部３１１は、コンテンツ格納部３０６からデータ先頭からコンテンツの読み込みを開始し、ＡＶクライアント装置１にデータを送信する（Ｓ９０５）。
【００８３】
以上説明した処理の流れによれば、ＡＶサーバ装置３は、ＡＶクライアント装置１によって決定されたコンテンツに対するレジューム情報を、レジューム情報管理テーブル３０７から検索し、ＡＶサーバ装置３は、この検索したレジューム情報を利用して、レジューム再生用のコンテンツデータを読み込み、ＡＶクライアント装置１に送信する。ＡＶクライアント装置は、このコンテンツデータを利用し、コンテンツのレジューム再生を行うことができる。
【実施例２】
【００８４】
次に、本発明の第２の実施の形態について説明する。
第２の実施例では、ＡＶクライアント装置がコンテンツの再生停止時に送信する再生停止情報内に、クライアント装置を特定するクライアント装置情報を含む場合の、レジューム情報の記録、及び、レジューム再生を実行する例を説明する。例えば、ＡＶクライアント装置１で再生していたコンテンツを一時中断し、ＡＶクライアント装置２で中断した位置から再び視聴を開始するという場合が考えられる。
【００８５】
このような場合でも、ＡＶクライアント装置１にて再生を停止する際に、再生停止情報に機器を特定するような情報をあわせてＡＶサーバ装置３に送信し、ＡＶサーバ装置３がレジューム情報として記録することでレジューム再生を実現することができる。本実施例における、レジューム情報を記録する処理の流れを、図４〜図６を用いて説明する。
【００８６】
図４のＳ４０６、及び、図５のＳ５０５にて、再生停止情報内に、再生停止位置とＡＶクライアント装置１のＵＤＮ、ＩＰアドレス、ドメイン名等、クライアント装置を特定し得る情報をあわせて、ＡＶサーバ装置３に送信する。次に、図４のＳ４０７にて、ＡＶサーバ装置３が受信した再生停止情報をレジューム情報管理テーブル３０７に記録する。具体的には、図６のＳ６０４、Ｓ６０５にて、再生停止位置をレジューム情報管理テーブル３０７の再生停止位置３０７２に記録すると同時に、受信した前記再生停止情報に含まれるＡＶクライアント装置１を特定するようなクライアント装置情報を、再生停止位置としてレジューム情報管理テーブル３０７のクライアント装置情報３０７３に記録する。
【００８７】
以上説明した処理の流れによれば、ＡＶクライアント装置１を特定するクライアント装置情報を再生停止情報に付加して、ＡＶサーバ装置３に送信し、ＡＶサーバ装置３はクライアント装置ごとのレジューム情報をレジューム情報管理テーブル３０７に記録することができる。
【００８８】
ここで、Ｓ６０３にて、指定されたコンテンツのコンテンツＩＤとレジューム情報管理テーブル３０７のコンテンツＩＤ３０７１が一致し、かつ、指定されたクライアント装置情報とのクライアント装置情報３０７３が一致しない場合、Ｓ６０５にて、レジューム情報の追加を行っている。これは、ＡＶクライアント装置１とＡＶクライアント装置２を操作するユーザが異なる場合を考慮して行われている。具体的には、例えば、ユーザ４がＡＶクライアント装置１にてコンテンツを再生停止した後、前記コンテンツをユーザ５がＡＶクライアント装置２にて再生停止した場合、前記コンテンツに対するレジューム情報は少なくとも２つ作成されている。そのため、次回、ユーザ４がＡＶクライアント装置１にて前記コンテンツの再生を開始した場合も、ＡＶクライアント装置１のレジューム情報をユーザが選択して利用することで、レジューム再生を行うことができる。
【００８９】
次に、本実施例における、レジューム情報を利用する処理の流れを、図８〜図９を用いて説明する。
【００９０】
図８のＳ８０５にて、ＡＶクライアント装置１で決定されたコンテンツのレジューム情報を検索する。具体的には、図９のＳ９０３、Ｓ９０４にて、再生するコンテンツのコンテンツＩＤとレジューム情報管理テーブル３０７のコンテンツＩＤ３０７１が一致し、かつ、再生する機器のクライアント装置情報とレジューム情報管理テーブル３０７のクライアント装置情報３０７３が一致するものを抽出する。Ｓ８０６にて、ＡＶクライアント装置１で再生を停止したレジューム情報のみを表示し、ユーザがレジューム再生を行うことができる。
【００９１】
以上説明した処理の流れによれば、ＡＶクライアント装置１で再生するコンテンツに対して、レジューム情報管理テーブル３０７に記録されたコンテンツＩＤ３０７１とクライアント装置情報３０７３から、ＡＶクライアント装置ごとのレジューム情報を記録することで、ユーザがコンテンツのレジューム再生を行うことができる。
【００９２】
以上説明した実施例によれば、ＡＶサーバ装置に記録されているレジューム情報にＡＶクライアント装置を特定するためのクライアント装置情報を記録し、ＡＶクライアント装置から前記クライアント装置情報ごとのレジューム情報を、ユーザが選択でき、コンテンツのレジューム再生を行うことができる。
【００９３】
ここで、前記第１の実施の形態で説明したように、Ｓ８０２にて、そのコンテンツがレジューム再生を実行することができるかどうかと、前回どのＡＶクライアント装置で再生を行ったかを、ユーザ４が視覚的に確認し選択できるように、ＡＶサーバ装置３が、レジューム情報管理テーブル３０７を参照して、ＡＶクライアント装置１に送信するためのコンテンツ情報を作成する場合も考えられる。この場合、例えば、タイトル名の後に、“（レジューム、クライアントＡ）”等の形式で、レジューム再生を行うコンテンツであることを表示させれば、Ｓ８０４にて、ユーザ４は、レジューム再生を行えるコンテンツと停止したＡＶクライアント装置名を、明示的に決定することができる。この場合、Ｓ８０５、Ｓ８０６の処理は不要となる。
【００９４】
ここで、Ｓ８０５にて、ＡＶクライアント装置１にレジューム情報を送信する際、ＡＶクライアント装置１に該当するレジューム情報のみを送信してもよい。また、再生するコンテンツに対して全てのレジューム情報を送信してもよい。前者の場合、ＡＶクライアント装置２に対して記録されたレジューム情報はＡＶクライアント装置１には表示されず、ユーザは選択できない。後者の場合、Ｓ８０６の再生方法選択において、ユーザがどのＡＶクライアント装置で停止したときのレジューム情報を利用するか、明示的に決定することができる。
【実施例３】
【００９５】
次に、本発明の第３の実施の形態について説明する。
第３実施例では、ＡＶクライアント装置がコンテンツの再生停止時に送信する再生停止情報内に、ユーザを特定するユーザ情報を含む場合の、レジューム情報の記録、及び、レジューム再生を実行する例を説明する。
【００９６】
例えば、ユーザ４がＡＶクライアント装置１で再生していたコンテンツを一時中断し、ＡＶクライアント装置２で中断した位置から再び視聴を開始するという場合が考えられる。このような場合、ユーザ４がＡＶクライアント装置１にて再生を停止する際に、再生停止情報にユーザを特定するような情報をあわせてＡＶサーバ装置３に送信し、ＡＶサーバ装置３がレジューム情報として記録することでレジューム再生を実現することができる。
【００９７】
本実施例における、レジューム情報を記録する処理の流れを、図４〜図６を用いて説明する。図４のＳ４０６、及び、図５のＳ５０５にて、再生停止情報内に、再生停止位置と事前に設定されたユーザ名、指紋情報等の個人から抽出した情報等、ユーザを特定し得る情報をあわせて、ＡＶサーバ装置３に送信する。次に、図４のＳ４０７にて、ＡＶサーバ装置３が受信した再生停止情報をレジューム情報管理テーブル３０７に記録する。具体的には、図６のＳ６０４、Ｓ６０５にて、再生停止位置をレジューム情報管理テーブル３０７の再生停止位置３０７２に記録すると同時に、受信した前記再生停止情報に含まれるユーザ４を特定するようなユーザ情報を、再生停止位置としてレジューム情報管理テーブル３０７のクライアント装置情報３０７４に記録する。
【００９８】
以上説明した処理の流れによれば、ユーザ４を特定するユーザ情報を再生停止情報に付加して、ＡＶサーバ装置３に送信し、ＡＶサーバ装置３はユーザごとのレジューム情報をレジューム情報管理テーブル３０７に記録することができる。
【００９９】
次に、本実施例における、レジューム情報を利用する処理の流れを、図８〜図９を用いて説明する。
【０１００】
図８のＳ８０５にて、ＡＶクライアント装置２で決定されたコンテンツのレジューム情報を検索する。具体的には、図９のＳ９０３、Ｓ９０４にて、再生するコンテンツのコンテンツＩＤとレジューム情報管理テーブル３０７のコンテンツＩＤ３０７１が一致し、かつ、再生するユーザのユーザ情報とレジューム情報管理テーブル３０７のユーザ情報３０７４が一致するものを抽出する。Ｓ８０６にて、ユーザ４が再生を停止したレジューム情報のみを表示し、ユーザがレジューム再生を行うことができる。
【０１０１】
以上説明した処理の流れによれば、ユーザ４が再生するコンテンツに対して、レジューム情報管理テーブル３０７に記録されたコンテンツＩＤ３０７１とユーザ情報３０７４から、ユーザごとのレジューム情報を記録することで、ユーザがコンテンツのレジューム再生を行うことができる。
【０１０２】
以上説明した実施例によれば、ＡＶサーバ装置に記録されているレジューム情報にユーザを特定するためのユーザ情報を記録し、ＡＶクライアント装置から前記ユーザ情報ごとのレジューム情報を、ユーザが選択でき、コンテンツのレジューム再生を行うことができる。
【０１０３】
ここで、前記第２の実施の形態で説明したように、Ｓ８０２にて、そのコンテンツがレジューム再生を実行することができるかどうかと、前回どのユーザが再生を行ったかを、ユーザ４が視覚的に確認し選択できるように、ＡＶサーバ装置３が、レジューム情報管理テーブル３０７を参照して、ＡＶクライアント装置１に送信するためのコンテンツ情報を作成する場合も考えられる。この場合、例えば、タイトル名の後に、“（レジューム、ユーザＡ）”等の形式で、レジューム再生を行うコンテンツであることを表示させれば、Ｓ８０４にて、ユーザ４は、レジューム再生を行えるコンテンツと前回停止したユーザ名を、明示的に決定することができる。この場合、Ｓ８０５、Ｓ８０６の処理は不要となる。
【０１０４】
以上説明した実施例はいずれを組み合わせて用いても、本発明の１つの実施の形態となりえる。
【０１０５】
また、本発明は例えば、ホームネットワークに接続するテレビ、ＰＣや、ＤＶＤ、ＨＤＤレコーダ等のレコーダ、セットトップボックス等に用いることができる。
【０１０６】
以上説明した本発明によれば、ＡＶクライアント装置が再生を停止した必要な情報を効率よく取得し、受信する情報量を削減することができ、伝送手段の伝送能力に掛かる負荷を低減でき、また、情報処理の遅延を防ぐことが可能となる。効率のよい情報の取得と好適な使い勝手の実現が可能となる。
【０１０７】
ＡＶクライアント装置がコンテンツの再生を停止する際に、再生停止位置を含む再生停止情報をＡＶサーバ装置に送信し。ＡＶサーバ装置が前記再生停止情報をレジューム情報として記録し、コンテンツのレジューム再生に利用することができ、ネットワークを介した前回再生停止位置からの正確なレジューム再生が可能となる。これにより、好適な使い勝手を実現する技術を提供することが可能となる。
【図面の簡単な説明】
【０１０８】
【図１】実施例のシステム構成図である。
【図２】実施例のクライアント装置の構成を示すブロック図である。
【図３】実施例のサーバ装置の構成を示すブロック図である。
【図４】実施例のシステムにおける再生中断時の装置間のシーケンス図である。
【図５】実施例のシステムにおける再生中断時のクライアント装置の処理を示すフロー図である。
【図６】実施例のシステムにおける再生中断時のサーバ装置の処理を示すフロー図である。
【図７】実施例のレジューム情報管理テーブルの説明図である。
【図８】実施例のシステムにおけるレジューム再生時の装置間のシーケンス図である。
【図９】実施例のシステムにおけるレジューム再生時のサーバ装置の処理を示すフロー図である。
【符号の説明】
【０１０９】
１：ＡＶクライアント装置（Ａ）、２：ＡＶクライアント装置（Ｂ）、
３：ＡＶサーバ装置、４：ユーザ（Ａ）、５：ユーザ（Ｂ）、１０１：送信部、
１０２：受信部、１０３：入力部、１０４：再生制御部、１０５：データバッファ部、
１０６：受信データデコード部、１０７：画面表示部、
１０８：コンテンツ情報要求送信部、１０９：再生停止位置取得部、
１１０：再生停止情報送信部、１１１：再生制御要求部、３０１：送信部、
３０２：受信部、３０３：受信要求判断部、３０４：記憶部、
３０５：コンテンツ情報管理テーブル、３０６：コンテンツ格納部、
３０７：レジューム情報管理テーブル、３０８：コンテンツ情報送信データ作成部、
３０９：レジューム情報保存部、３１０：レジューム情報取得部、
３１１：コンテンツデータ送信制御部、３０７１：コンテンツＩＤ、
３０７２：再生停止位置、３０７３：クライアント装置情報、３０７４：ユーザ情報
【図１】
2008085934.tif 000003
【図２】
2008085934.tif 000004
【図３】
2008085934.tif 000005
【図４】
2008085934.tif 000006
【図５】
2008085934.tif 000007
【図６】
2008085934.tif 000008
【図７】
2008085934.tif 000009
【図８】
2008085934.tif 000010
【図９】
2008085934.tif 000011